(57)【要約】【課題】優れた意匠性を発揮するとともに、断熱機能を損なわない建築物の外壁及びその施工方法を提供する。【解決手段】建築物の外壁は、柱４０等に複数枚の金属サンドイッチパネル１０を平面状に固定してなるものである。金属サンドイッチパネル１０は、表面を構成する鋼板製の第１板材１１と、裏面を構成する鋼板製の第２板材１２と、第１板材１１と第２板材１２との間に一体に設けられた断熱材１３とを有している。金属サンドイッチパネル１０の端面で外気に露出し得る断熱材１３は、自己の第１、２板材１１、１２、隣接する金属サンドイッチパネル１０の第１、２板材１１、１２又は柱４０等に固定されるスタータ４７、６３、６６によって隠蔽されている。【選択図】図４
2005320760.tif 000002
【特許請求の範囲】
【請求項１】
下地材に複数枚の板状建材を平面状に固定してなる建築物の外壁において、
前記板状建材は、少なくとも表面に設けられる板材と、該板材の裏面に設けられる樹脂製の断熱材とを有するものであり、
該板状建材の端面で外気に露出し得る該断熱材は、自己の該板材、隣接する該板状建材の該板材又は前記下地材に固定される被覆部材によって隠蔽されていることを特徴とする建築物の外壁。
【請求項２】
前記被覆部材は、前記板材と重なる重なり部を有することを特徴とする請求項１記載の建築物の外壁。
【請求項３】
前記板状建材は、表面を構成する金属板製の第１板材と、裏面を構成する金属板製の第２板材と、該第１板材と該第２板材との間に一体に設けられた断熱材とを有するものであり、
該第１板材又は該第２板材によって垂直な被施工面を形成し、該被施工面に意匠材を施してなることを特徴とする請求項１又は２記載の建築物の外壁。
【請求項４】
下地材に複数枚の板状建材を平面状に固定して建築物の外壁を施工する外壁の施工方法において、
前記板状建材は、少なくとも表面に設けられる板材と、該板材の裏面に設けられる樹脂製の断熱材とを有するものであり、
前記下地材に被覆部材を固定する第１工程と、
該板状建材の端面で外気に露出し得る該断熱材を該被覆部材により隠蔽しつつ、該板状建材を該下地材に固定する第２工程とを備えていることを特徴とする外壁の施工方法。
【発明の詳細な説明】
【技術分野】
【０００１】
本発明は戸建て住宅等の建築物の外壁及びその施工方法に関する。
【背景技術】
【０００２】
建築物の外壁として、支柱等の下地材に複数枚の板状建材を平面状に固定してなるものが知られている。
【０００３】
例えば、特許文献１開示の外壁では、まず下地材としての柱及び間柱に第１板状建材としての断熱ボードをビスによって平面状に固定する。そして、断熱ボードの表面に防水紙を介して胴縁を形成し、胴縁に第２板状建材としての化粧仕上げ下地材をビスによって平面状に固定する。この後、化粧仕上げ下地材の表面に意匠材としてのタイルを接着剤により施す。こうして、断熱効果及び意匠性のある外壁が構成されることとなる。
【０００４】
【特許文献１】特開２００１−３１６１６５号公報の図４
【発明の開示】
【発明が解決しようとする課題】
【０００５】
しかし、上記構成の外壁では、断熱ボード及び化粧仕上げ下地材の２種類の板状建材を柱等に施工しなければならず、施工が面倒であり、コスト高であるという問題がある。
【０００６】
この点、特開昭６３−１３０８５６号公報、特開平１１−１５９０５３号公報又は特開２００３−３４３５３８号公報開示の板状建材を採用することも考えられる。これらの公報には、表面を構成する第１板材と、裏面を構成する第２板材と、第１板材と第２板材との間に一体に設けられた樹脂製の断熱材とからなる板状建材が開示されている。第１板材は、特開昭６３−１３０８５６号公報、特開平１１−１５９０５３号公報又は特開２００３−３４３５３８号公報記載の技術では金属板である。第２板材は、特開平１１−１５９０５３号公報記載の技術ではアルミニウム蒸着紙等であり、特開２００３−３４３５３８号公報記載の技術では金属板である。
【０００７】
この種の板状建材を用いることとすれば、板状建材が断熱材を有するものであるため、その板状建材を柱等に施工するだけで外断熱が可能な外壁を形成することができる。そして、表面側の板材にタイル等の意匠材を施工すれば、その外壁が優れた意匠も呈することとなる。こうして、この種の板状建材を用いれば、容易に外壁を施工することができることから、コストダウンを実現することができる。
【０００８】
しかしながら、これらの公報記載の技術では、板状建材の端面についての考慮がなされておらず、そのままでは樹脂製の断熱材が外気に露出してしまう。例えば、土台部、下屋部、笠木部、オーバーハング部、窓等の開口部、出隅、入隅等を板状建材が構成する場合、断熱材を有する板状建材を断することが多く、その場合には板状建材の切断面において断熱材が外気に露出してしまう。こうして断熱材が外気に剥き出しのままでは、意匠性が損なわれるばかりでなく、ポリウレタンフォーム等からなる断熱材では湿気や紫外線によって肉痩せする等、樹脂製の断熱材が劣化し、断熱機能が損なわれてしまう。
【０００９】
本発明は、上記従来の実情に鑑みてなされたものであって、優れた意匠性を発揮するとともに、断熱機能を損なわない建築物の外壁及びその施工方法を提供することを解決すべき課題としている。
【課題を解決するための手段】
【００１０】
本発明の建築物の外壁は、下地材に複数枚の板状建材を平面状に固定してなる建築物の外壁において、
前記板状建材は、少なくとも表面に設けられる板材と、該板材の裏面に設けられる樹脂製の断熱材とを有するものであり、
該板状建材の端面で外気に露出し得る該断熱材は、自己の該板材、隣接する該板状建材の該板材又は前記下地材に固定される被覆部材によって隠蔽されていることを特徴とする。
【００１１】
本発明の外壁は、少なくとも表面に設けられる板材と、この板材の裏面に設けられる樹脂製の断熱材とを有する板状建材を用いているため、その板状建材を下地材に施工するだけで外断熱が可能である。そして、表面側の板材にタイル等の意匠材を施工すれば、その外壁が優れた意匠も呈することとなる。こうして、この板状建材を用いれば、容易に外壁を施工することができることから、コストダウンを実現することができる。
【００１２】
また、この外壁では、板状建材自身の板材、隣接する板状建材の板材又は下地材に被覆部材が固定され、この被覆部材によって板状建材の端面で外気に露出し得る断熱材が隠蔽されている。このため、断熱材が外気に剥き出しにならず、優れた意匠性を発揮するとともに、断熱材が劣化せず、その機能も維持することができる。
【００１３】
したがって、本発明の外壁は、優れた意匠性を発揮するとともに、断熱機能を維持することができる。
【００１４】
下地材としては、木造造りの柱、間柱、コンクリート造りのコンクリート、鉄骨造りの鉄骨等を採用することができる。板材としては、耐候性が高く、加工が比較的容易な鋼板等の金属板を採用することができる。樹脂製の断熱材としては、ポリウレタンフォーム、ポリイソシアネートフォーム、フェノールフォーム、塩化ビニルフォーム、ポリエチレンフォーム、ポリスチレンフォーム、ユニアフォーム等を採用することができる。
【００１５】
被覆部材は、板材と重なる重なり部を有することが好ましい。この場合、板状建材が地震や風等の外力によって変形したり、湿気、熱又は紫外線によって変形したりすることが重なり部によって抑制又は阻止され、外壁が優れた耐久性を発揮することができる。
【００１６】
板状建材は、表面を構成する金属板製の第１板材と、裏面を構成する金属板製の第２板材と、第１板材と第２板材との間に一体に設けられた断熱材とを有するものを採用することができる。この場合、第１板材及び第２板材が高い壁倍率を実現し、外壁が確実に高い耐久性を発揮することができる。
【００１７】
本発明の外壁は、この板状建材を採用し、第１板材又は第２板材によって垂直な被施工面を形成し、被施工面に意匠材を施してなることが好ましい。この場合、外壁が優れた意匠性を発揮することができる。
【００１８】
意匠材としては、タイル、石材、樹脂製の化粧材、木質化粧材、ガラス質化粧材、セメント系化粧材、石灰や石膏製の化粧材、アクリルエマルジョン等の有機系塗材、モルタル等の無機系塗材等を採用することができる。
【００１９】
本発明の外壁の施工方法は、下地材に複数枚の板状建材を平面状に固定して建築物の外壁を施工する外壁の施工方法において、
前記板状建材は、少なくとも表面に設けられる板材と、該板材の裏面に設けられる樹脂製の断熱材とを有するものであり、
前記下地材に被覆部材を固定する第１工程と、
該板状建材の端面で外気に露出し得る該断熱材を該被覆部材により隠蔽しつつ、該板状建材を該下地材に固定する第２工程とを備えていることを特徴とする。
【００２０】
本発明の施工方法により本発明の外壁を施工することができる。特に、この施工方法では、下地材に固定した被覆部材によって板状建材の位置決めを行うことができる。このため、施工時間を短縮化できるとともに、板状建材の端面が被覆部材によって揃えられることから、仕上がりも美しくなる。
【発明を実施するための最良の形態】
【００２１】
以下、本発明を住宅用の外壁に具体化した実施例１、２を図面を参照しつつ説明する。
【実施例１】
【００２２】
まず、図１に示す板状建材としての金属サンドイッチパネル１０を用意する。この金属サンドイッチパネル１０は、表面を構成する鋼板製の第１板材１１と、裏面を構成する鋼板製の第２板材１２と、第１板材１１と第２板材１２との間に一体に設けられた発泡ポリウレタンフォームからなる断熱材１３とを有している。
【００２３】
第１、２板材１１、１２上には、図２に示すように、エポキシ系塗料の１００質量部に無数の珪砂を３０質量部の割合で混合してなるエポキシ系塗材からなる密着層１４が予め形成されている。密着層１４の表面は、中心線平均粗さＲａが２μｍにおいて、最大高さＲｙが１３〜１５μｍで粗面化されている。この密着層１４は弾性を有している。
【００２４】
図１に示すように、金属サンドイッチパネル１０の上端には凸部１０ａが形成され、その下端には凸部１０ａに挿入され得る凹部１０ｂが形成されている。凸部１０ａは、第１、２板材１１、１２の上端が断熱材１３側に直角に屈曲された後で上方に延び、さらに折り返されて下方に屈曲されたものである。凹部１０ｂは、第１、２板材１１、１２の下端が断熱材１３側に折り返されて上方に屈曲され、さらに直角に屈曲された後で上方に屈曲されたものである。凸部１０ａの先端面又は凹部１０ｂの奥端面にはゴムパッキン１０ｃが設けられている。これら凸部１０ａ及び凹部１０ｂは互いに実はぎされる接合部１５を構成する。このため、金属サンドイッチパネル１０の表裏が問われず、施工性が向上する。
【００２５】
この金属サンドイッチパネル１０を用いて外壁を施工する場合、まず、下地材としての木材からなる柱４０等に透湿防水シート４５を介してビス４６により複数枚の金属サンドイッチパネル１０を平面状に固定し、金属サンドイッチパネル１０の表面からなる垂直な被施工面を形成する。こうして、下段から上段へと金属サンドイッチパネル１０を順次積み上げ、下段の金属サンドイッチパネル１０の凸部１０ａが上段の金属サンドイッチパネル１０の凹部１０ｂに挿入するようにする。接合部１５の凹部１０ｂにはエポキシ系のパテ３１が設けられており、これにより塗り仕上げ材３０が塗布しやすい凹凸のない平坦な被施工面を形成している。
【００２６】
そして、被施工面のうちの第１板材１１に意匠材及び接着剤としての塗り仕上げ材３０を塗布する。この塗り仕上げ材３０は主成分がアクリルエマルジョン系、変性シリコーン系、エポキシ系又はウレタン系である。
【００２７】
金属サンドイッチパネル１０の端部は、図３に示すように、住宅の設計により厚さ方向に切断される。そして、躯体に予め被覆部材としての鋼板製のスタータ４７等を固定しておくことができない場合には、その金属サンドイッチパネル１０の端面にそのスタータ４７を嵌合する。スタータ４７は、平板状の平板４７ａと、この平板４７ａの幅方向の両端から垂直に立ち上がる側壁４７ｂ、４７ｃとからなる。両側壁４７ｂ、４７ｃの間隔は金属サンドイッチパネル１０の厚さと等しくされている。スタータ４７が嵌合された金属サンドイッチパネル１０の端部にはスタータ４７とともにテープ３２が貼着される。スタータ４７は、側板４７ｂ、４７ｃが第１、２板材１１、１２と重なる重なり部Ｗを構成している。
【００２８】
金属サンドイッチパネル１０が図４に示すような土台部を構成する場合、まず基礎４４の上面にスタータ４７を固定する。そして、設計上切断された金属サンドイッチパネル１０をスタータ４７上に固定する。次いで、金属サンドイッチパネル１０の端部にスタータ４７とともにテープ３２を貼着する。この後、その金属サンドイッチパネル１０を水切り６１とともに柱４０等にビス４６によって固定する。そして、第１板材１１に塗り仕上げ材３０を塗布する。塗り仕上げ材３０に他の意匠材としてのタイル５０を貼着することも可能である。
【００２９】
なお、金属サンドイッチパネル１０の端部が切断されない場合には、図５に示すように、軸直角方向の断面がＪ字形状のスタータ６３を用いる。柱４０等に水切り６１を図示しないビスにより固定するとともに、スタータ６３を図示しないビスにより固定し、スタータ６３に金属サンドイッチパネル１０の凹部１０ｂの奥側を受承させる。スタータ６３は第１、２板材１１、１２と重なる重なり部Ｗを構成している。
【００３０】
金属サンドイッチパネル１０が図６に示すような下屋部を構成する場合、柱４０等にアスファルトルーフィング６４を介して雨押６５を図示しないビスにより固定するとともに、スタータ４７を図示しないビスにより固定する。そして、設計上切断された金属サンドイッチパネル１０をスタータ４７上に嵌合し、ビス４６により金属サンドイッチパネル１０を柱４０等に固定する。次いで、金属サンドイッチパネル１０の端部にスタータ４７とともにテープ３２を貼着する。この後、第１板材１１に塗り仕上げ材３０を塗布する。塗り仕上げ材３０に他の意匠材としてのタイル５０を貼着することも可能である。
【００３１】
金属サンドイッチパネル１０が図７に示すような笠木部を構成する場合、透湿防水シート４５を介してスタータ６６及び笠木６７をビス４９により軒桁４２等に固定する。スタータ６６は、両側壁の間隔が金属サンドイッチパネル１０の厚さと軒桁４２等の厚さとの和と等しくされている点を除き、スタータ４７と同様のものである。スタータ６６は、側板が第１、２板材１１、１２と重なる重なり部を構成している。そして、設計上切断された金属サンドイッチパネル１０をスタータ６６に嵌合し、ビス４６により金属サンドイッチパネル１０を柱４０等に固定する。次いで、金属サンドイッチパネル１０の端部にスタータ６６とともにテープ３２を貼着する。この後、第１板材１１に塗り仕上げ材３０を塗布する。塗り仕上げ材３０に他の意匠材としてのタイル５０を貼着することも可能である。
【００３２】
金属サンドイッチパネル１０が図８に示すようなオーバーハング部を構成する場合、軒天材６８にスタータ４７を固定し、金属サンドイッチパネル１０をスタータ４７上に固定する。次いで、金属サンドイッチパネル１０の端部にスタータ４７とともにテープ３２を貼着する。この後、その金属サンドイッチパネル１０を軒桁４２等にビス４６によって固定する。そして、第１板材１１に塗り仕上げ材３０を塗布する。塗り仕上げ材３０に他の意匠材としてのタイル５０を貼着することも可能である。
【００３３】
図９に示すように、オーバーハング部がバルコニー水切り６９を有する場合、軒天材６８にバルコニー水切り６９及びスタータ４７を固定する。他は上記と同様である。
【００３４】
金属サンドイッチパネル１０が窓やスライドドア等の開口部を構成する場合、まず、図１０に示す開口用部材７０を用意する。この開口用部材７０は、平板状の平板７０ａと、この平板７０ａの幅方向の一端から垂直に立ち上がる側壁７０ｂと、側壁７０ｂの他端から平板７０ａと平行に平板７０ａから離れる方向に延びる保持部７０ｃとからなる。保持部７０ｃの内側には接着剤７０ｄが塗布されている。
【００３５】
図１１に示すように、開口上部では、軒桁４２等にサッシ７１が固定されており、サッシ７１の外方にシーリング７２を設けつつ、開口用部材７０が固定される。そして、金属サンドイッチパネル１０をサッシ７１及び開口用部材７０の側壁７０ｂ上に固定する。次いで、金属サンドイッチパネル１０の端部にスタータ４７とともにテープ３２を貼着する。そして、第１板材１１に塗り仕上げ材３０を塗布する。
【００３６】
図１２に示すように、開口下部では、根太５１等にサッシ７１が固定されており、サッシ７１の外方にシーリング７２を設けつつ、開口用部材７０が固定される。そして、金属サンドイッチパネル１０をサッシ７１及び開口用部材７０の側壁７０ｂ下に固定する。次いで、金属サンドイッチパネル１０の端部にスタータ４７とともにテープ３２を貼着する。そして、第１板材１１に塗り仕上げ材３０を塗布する。
【００３７】
また、図１３に示すように、開口側部では、柱４０等にサッシ７１が固定されており、サッシ７１の外方にシーリング７２を設けつつ、開口用部材７０が固定される。そして、金属サンドイッチパネル１０をサッシ７１及び開口用部材７０の側壁７０ｂ横に固定する。次いで、金属サンドイッチパネル１０の端部にスタータ４７とともにテープ３２を貼着する。そして、第１板材１１に塗り仕上げ材３０を塗布する。
【００３８】
金属サンドイッチパネル１０が図１４に示すような出隅を構成する場合、まず基礎４４の上面には鋼板製のスタータ４７を固定する。また、図１５に示す鋼板製の出隅用見切り材４８を用意する。この出隅用見切り材４８は、平板状の平板４８ａと、この平板４８ａの幅方向の両端から垂直に立ち上がる側壁４８ｃ及び底板４８ｂと、底板４８ｃの他端から平板４８ａと平行に平板４８ａから離れる方向に延びる側板４８ｄとからなる。側壁４８ｃと底板４８ｂとの間隔及び底板４８ｂの幅は金属サンドイッチパネル１０の厚さと等しくされている。
【００３９】
そして、図１４に示すように、スタータ４７上に金属サンドイッチパネル１０を固定する。次いで、図１６に示すように、接合部１５となる金属サンドイッチパネル１０の端面に発泡ポリスチレンのバックアップ材３３及びパテ３１を設けつつ、出隅用見切り材４８の底板４８ｂと対面させる。なお、図１４に示すように、出隅用見切り材４８と重なるスタータ４７の部分４７ｄは切断する。この後、両金属サンドイッチパネル１０の端面、パテ３１の表面及び縁部にテープ３２を貼着する。この後、第１板材１１に塗り仕上げ材３０を塗布する。
【００４０】
さらに、金属サンドイッチパネル１０が入隅を構成する場合、図１７に示すように、まず柱４０に受木４１を介して固定された縁木４３に断面く字形状の鋼板製の捨て入り材４４を固定する。そして、一方の金属サンドイッチパネル１０をその端面が捨て入り材４４に当接するように設け、その金属サンドイッチパネル１０を縁木４３等にビス４６によって固定する。また、他方の金属サンドイッチパネル１０の端面にＬ字見切３５を設けた後、バックアップ材３３及びシーリング３４を設けつつ、一方金属サンドイッチパネル１０の第１板材１１と対面させ、任意の位置で各金属サンドイッチパネル１０を縁木４３等にビス４６によって固定する。この後、第１板材１１に塗り仕上げ材３０を塗布する。塗り仕上げ材３０にタイル５０を貼着することも可能である。
【００４１】
なお、金属サンドイッチパネル１０が軒天部を構成する場合、図１８に示すように、軒桁５１に金属サンドイッチパネル１０を固定する。
【００４２】
こうして得られた外壁は、表面を構成する鋼板製の第１板材１１と、裏面を構成する鋼板製の第２板材１２と、第１板材１１と第２板材１２との間に一体に設けられた断熱材１３とを有する金属サンドイッチパネル１０を用いており、その金属サンドイッチパネル１０を柱４０等に施工するだけで外断熱が可能である。そして、表面側の第１板材１１に塗り仕上げ材３０やタイル５０を施工すれば、その外壁が優れた意匠も呈することとなる。こうして、この金属サンドイッチパネル１０を用いれば、容易に外壁を施工することができることから、コストダウンを実現することができる。
【００４３】
また、この外壁では、隣接する金属サンドイッチパネル１０の第１、２板材１１、１２又は柱４０等にスタータ４７、６３、６６が固定され、これらのスタータ４７、６３、６６によって金属サンドイッチパネル１０の端面で外気に露出し得る断熱材１３が隠蔽されている。このため、断熱材１３が外気に剥き出しにならず、優れた意匠性を発揮するとともに、断熱材１３が劣化せず、その機能も維持することができる。
【００４４】
したがって、この外壁は、優れた意匠性を発揮するとともに、断熱機能を維持することができる。また、こうして外壁を施工すれば、柱４０等に固定したスタータ４７、６３、６６によって金属サンドイッチパネル１０の位置決めを行うことができるため、施工時間を短縮化できるとともに、金属サンドイッチパネル１０の端面がスタータ４７、６３、６６によって揃えられることから、仕上がりも美しくなる。
【００４５】
また、この外壁では、スタータ４７、６３、６６が金属サンドイッチパネル１０の第１、２板材１１、１２と重なる重なり部Ｗを有しているため、金属サンドイッチパネル１０が地震や風等の外力によって変形したり、湿気、熱又は紫外線によって変形したりすることが重なり部Ｗによって抑制又は阻止され、外壁が優れた耐久性を発揮することができる。
【００４６】
さらに、この外壁では、各金属サンドイッチパネル１０が鋼板製の第１板材１１及び第２板材１２を採用しているため、時間の経過によって各金属サンドイッチパネル１０が反り難く、良好な仕上がりも実現することができる。
【００４７】
また、この外壁は、金属サンドイッチパネル１０を採用していることから、第１、２板材１１、１２が高い壁倍率を実現することができる。特に、図２に示すように、密着層１４の表面は粗面化されており、粗面によって密着層１４と塗り仕上げ材３０とが大きな面積で接触し、かつ密着層１４と塗り仕上げ材３０とがともに有機系であることから強固に結合される。密着層１４の粒状物質はその上に設けられる塗り仕上げ材３０を繋ぎとめるアンカーとしても機能する。このため、この外壁は、確実に高い耐久性を発揮することができる。
【００４８】
なお、本発明は上記実施例に制限されるものではなく、その趣旨を逸脱しない範囲で適宜変更して適用できることはいうまでもない。
【産業上の利用可能性】
【００４９】
本発明は、戸建て住宅等の建築物の外壁に利用可能である。
【図面の簡単な説明】
【００５０】
【図１】実施例の外壁の縦方向の部分断面図である。
【図２】実施例に係る金属サンドイッチパネルの縦方向の部分拡大断面図である。
【図３】実施例の外壁における端部の縦方向の部分断面図である。
【図４】実施例の外壁における土台部の縦方向の部分断面図である。
【図５】実施例の外壁における他の土台部の縦方向の部分断面図である。
【図６】実施例の外壁における下屋部の縦方向の部分断面図である。
【図７】実施例の外壁における笠木部の縦方向の部分断面図である。
【図８】実施例の外壁におけるオーバーハング部の縦方向の部分断面図である。
【図９】実施例の外壁におけるオーバーハング部の縦方向の部分断面図である。
【図１０】実施例に係る開口用部材の軸直角方向の断面図である。
【図１１】実施例の外壁における開口上部の縦方向の部分断面図である。
【図１２】実施例の外壁における開口下部の縦方向の部分断面図である。
【図１３】実施例の外壁における開口側部の水平方向の部分断面図である。
【図１４】実施例の外壁における出隅の斜視図である。
【図１５】実施例に係る出隅見切り材の軸直角方向の断面図である。
【図１６】実施例の外壁における出隅の水平方向の部分断面図である。
【図１７】実施例の外壁における入隅の水平方向の部分断面図である。
【図１８】実施例の外壁における軒天部の縦方向の部分断面図である。
【符号の説明】
【００５１】
４０、４２、４１、４３、５１…下地材
１０…板状建材（金属サンドイッチパネル）
１１、２１…第１板材
１２、２２…第２板材
１３、２３…断熱材
４７、６３、６６…隠蔽部材（スタータ）
３０、５０…意匠材（３０…塗り仕上げ材、５０…タイル）
Ｗ…重なり部
【図１】
2005320760.tif 000003
【図２】
2005320760.tif 000004
【図３】
2005320760.tif 000005
【図４】
2005320760.tif 000006
【図５】
2005320760.tif 000007
【図６】
2005320760.tif 000008
【図７】
2005320760.tif 000009
【図８】
2005320760.tif 000010
【図９】
2005320760.tif 000011
【図１０】
2005320760.tif 000012
【図１１】
2005320760.tif 000013
【図１２】
2005320760.tif 000014
【図１３】
2005320760.tif 000015
【図１４】
2005320760.tif 000016
【図１５】
2005320760.tif 000017
【図１６】
2005320760.tif 000018
【図１７】
2005320760.tif 000019
【図１８】
2005320760.tif 000020